(57)【要約】【課題】樹脂部品中に含まれる臭素系難燃剤を簡便な方法で、迅速に、より正確に検出する。【解決手段】イオン付着質量分析装置の試料容器の下部に小さい収容部を設けて分析標準物質を入れ、小さい収容部の上に分析試料を置き、分析標準物質からの検出ガスを分析試料に接触させてから質量分析に供する。【選択図】      図３
2008164383.tif 000002
【特許請求の範囲】
【請求項１】
分析試料、及び被検出物質に応じた分析標準物質を収容した試料容器、該試料容器を加熱して該分析試料及び該被検出物質から検出ガスを得るための加熱機構、及び該検出ガスに付着して、該検出ガスをイオン化検出ガスにせしめる金属イオンを提供する金属イオン放出体が設けられたイオン化室、及び
該イオン化検出ガスを質量分別する質量分析器、及び質量分別されたイオン化検出ガスを検出する電子倍増管を備えた質量分析室を具備する質量分析装置であって、
前記試料容器は、底部が閉塞され、上端に第１の開口を有し、前記分析標準物質が収容された第１の収容部と、該第１の収容部上に設けられ、該第１の開口を底部の少なくとも一部に有し、上端に該第１の開口よりも大きい第２の開口を有し、該第１の開口を通して導入される前記分析標準物質からの検出ガスと接触する位置に前記分析試料が設けられた第２の収容部を有することを特徴とする質量分析装置。
【請求項２】
前記第１の収容部は、一端が閉塞された底部を有し、他端が第１の開口により開放された円筒形状であり、
前記第２の収容部は、一端が前記第１の開口により部分的に開口された底部を有し、他端が第２の開口により開放された円筒形状であることを特徴とする請求項１または２に記載の質量分析装置。
【請求項３】
前記分析試料は、前記第１の開口の端部の輪郭よりも大きい輪郭をもつ断面を有し、その端部が、前記第１の開口の端部よりも延出するように、前記開口上に載置されることを特徴とする請求項１または２に記載の質量分析装置。
【請求項４】
前記分析試料は、１または２以上の開孔を有する通気板を介して開口上に載置されることを特徴とする請求項１ないし３のいずれか１項に記載の質量分析装置。
【請求項５】
前記第２の収容部は、前記第２の開口の開口端から底部にかけて傾斜した側壁を有する請求項１ないし４のいずれか１項に記載の質量分析装置。
【発明の詳細な説明】
【技術分野】
【０００１】
本発明は、例えばプラスチック、ゴム、及び織物等の部品の可燃性物質に臭素系難燃剤として添加された特にデカブロモジフェニルエーテルを検出する質量分析装置に関する。
【背景技術】
【０００２】
電子機器、電気機器等に使用されるプラスチック、ゴム等の樹脂部品等の可燃性材料には、その燃焼速度を減少または抑制させるために、例えば臭素系難燃剤が添加されている。この臭素系難燃剤の代表的な例として、ポリ臭素化フェニルエーテルの１種であるデカブロモジフェニルエーテル（ＤｅｃａＢＤＥ）があげられる。
【０００３】
ＰＢＤＥは、欧州のブルーエンジェルマーク（ＢＥＭ）、ＴＣＯ−９５，ホワイトスワン等のエコラベルや電子機器廃棄物指令案（ＲｏＨＳ）により規制されている。このため、使用済み電子機器から取り出された部品から、ＰＢＤＥが含まれている樹脂部品を選別する必要がある。
【０００４】
例えば特許文献１には、樹脂材料に添加されている臭素系難燃剤を分析するイオン付着質量分析装置（ＩＡ−ＭＳ）が開示されている。
【０００５】
上述のイオン付着質量分析装置を用いると、従来の質量分析装置よりも、格段に速く臭素系難燃剤を検出することができる。
【０００６】
しかしながら、プラスチック、ゴム等の樹脂部品に含まれた微量な充填物質例えば銅、白金等の触媒作用により、ＰＢＤＥの末端基が酸化反応、置換反応等を起こすと、所定の質量数域におけるピーク強度が低下、あるいはピークが現れないことがあった。また、装置の不具合等により、イオン化質量分析が正常に行われないと、所定の質量数域でピークが現れない。このように、従来は、分析試料にＰＢＤＥが含まれているにもかかわらず、これを検出することができない場合があるという問題があった。このため、より正確に臭素系難燃剤を検出する方法が望まれていた。
【特許文献１】特開平５−６０７０５号公報
【発明の開示】
【発明が解決しようとする課題】
【０００７】
本発明は、上記事情に鑑みて成されたもので、樹脂部品中に含まれる臭素系難燃剤を簡便な方法で、迅速に、より正確に検出することが可能な質量分析装置を提供することを目的とする。
【課題を解決するための手段】
【０００８】
本発明の質量分析装置は、分析試料、及び被検出物質に応じた分析標準物質を収容した試料容器、該試料容器を加熱して該分析試料及び該被検出物質から検出ガスを得るための加熱機構、及び該検出ガスに付着して、該検出ガスをイオン化検出ガスにせしめる金属イオンを提供する金属イオン放出体が設けられたイオン化室、及び
該イオン化検出ガスを質量分別する質量分析器、及び質量分別されたイオン化検出ガスを検出する電子倍増管を備えた質量分析室を具備する質量分析装置であって、
前記試料容器は、底部が閉塞され、上端に第１の開口を有し、前記分析標準物質が収容された第１の収容部と、該第１の収容部上に設けられ、該第１の開口を底部の少なくとも一部に有し、上端に該第１の開口よりも大きい第２の開口を有し、該第１の開口を通して導入される前記分析標準物質からの検出ガスと接触する位置に前記分析試料が設けられた第２の収容部を有することを特徴とする。
【発明の効果】
【０００９】
本発明の質量分析装置を用いると、樹脂部品中の臭素系難燃剤を簡便な方法で、迅速に、より正確に検出することができる。
【発明を実施するための最良の形態】
【００１０】
本発明は、イオン付着質量分析装置の改良、特に、イオン付着質量分析装置に試料を導入するための試料容器の形状、及び試料と標準物質との配置を改良したものである。
【００１１】
以下、図面を参照し、本発明を具体的に説明する。
【００１２】
図1は、本発明に係るイオン付着質量分析装置の構成を表す概略図である。
【００１３】
また、図２は、図１に示すダイレクトプローブを拡大して表す図を示す。
【００１４】
本発明の質量分析装置４０は、イオン化室１１、質量分析室１３、及びイオン化室１１と質量分析室１３の間に設けられた差動排気室１２を含む。イオン化室１１と差動排気室１２の間、差動排気室１２と質量分析室１３の間は、各々開孔を有する第１の仕切り板１８、第２の仕切り板２２で仕切られており、各開孔１９，２３を通して検出ガスが移動できるようになっている。
【００１５】
イオン化室１１には、分析試料、及び被検出物質に応じた分析標準物質を収容した試料容器１０を設置し得るダイレクトプローブ１４、試料容器１０を加熱して分析試料及び被検出物質から検出ガスを得るための加熱機構１５例えば赤外ランプ、赤外レーザ等、及び検出ガスに付着して、検出ガスをイオン化検出ガスにせしめる金属イオン例えばＬｉを提供する金属イオン放出体１６が設けられている。金属イオン放出体１６には、加熱用フィラメント１７が挿入されている。金属イオンとしては、本発明の一実施態様ではＬｉ＋が使用される。その他、例えばＫ＋、Ｎａ＋、Ｒｂ＋、Ｃｓ＋、Ａｌ＋、Ｇａ＋、及びＩｎ＋等を使用することができる。
【００１６】
図２に示すように、試料容器をイオン化室に導入するためのダイレクトプローブ１４には、複数の試料容器１０を設置することが可能であり、１つの分析試料の分析が完了した後、ダイレクトプローブ１４を一定距離スライドするだけで、後続の分析試料をすぐにイオン化室に導入することができるようになっている。
【００１７】
この差動排気室１２は、１０ないし１０００Ｐａであるイオン化室１１と、１×１０−３Ｐａ以下である質量分析室１３を真空的に接続する役割を担っており、０．１ないし１Ｐａの圧力となっている。差動排気室１２には、集束レンズ２４が設けられている。集束レンズ２４は、静電界を利用した静電レンズである。また、差動排気室１２には真空ポンプ２１例えばターボポンプ（ＴＭＰ）が接続されている。この真空ポンプ２１で差動排気室１２内部を排気すると、開孔１９を通ってイオン化室１１内部も同時に例えば１００Ｐａ迄排気される。これにより、イオン化室１１から差動排気室１２への検出ガス等の流れが生じる。
【００１８】
質量分析室１３には、イオン化検出ガスを質量分別する例えばＱポール型質量分析器３１、及び質量分別されたイオン化検出ガスを検出する電子倍増管３５が設けられている。また、質量分析室にもまた真空ポンプ２１が接続されており、例えば１０−３Ｐａまで排気され得る。質量分析器は、Ｑポール型のみならず、三次元（３Ｄ）型、磁場セクター型、ＴＯＦ（飛行時間）型、及びイオン・サイクロトロン・レゾナンス（ＩＣＲ）型等を使用することができる。
【００１９】
本発明に用いられる分析試料は必要に応じて所望の大きさにカットするだけで、複雑な前処理を施す必要がなく、予め分析標準物質を収容した試料容器内に、直接入れるだけで、質量分析を行うことができる。質量分析装置に入れられた分析試料は、加熱機構により加熱され、分析標準物質及び分析試料から検出ガスが熱抽出される。この検出ガスに金属イオン放出体１６から出た金属イオンが付着してイオン化検出ガス（アダクトイオン）となる。イオン化検出ガスは、集束レンズ２０を通過して移動し、Ｑポール型質量分析器内で質量毎に分別され、電子倍増管３５の入り口に捕らえられて、検出される。
【００２０】
図３に、図２のダイレクトプローブに設置される試料容器の一例の構成を表す概略を表す図を示す。
【００２１】
図示するように、本発明に使用される試料容器１０は、分析標準物質１を収容する第１の収容部３１と、その上に設けられ、分析試料２を収容する第２の収容部３２とを有する。
【００２２】
第１の収容部３１は、底部が閉塞され、上端に例えば直径１ないし２ｍｍの第１の開口３３により開放された直径１ないし２ｍｍ長さ２ｍｍの円筒形状を有する。第１と第２の収容部３１，３２は、第１の開口３３により接続されている。
【００２３】
第２の収容部３２は、第１の開口３３を底部の少なくとも一部に有し、上端に第１の開口３３よりも大きい例えば直径４ないし５ｍｍの第２の開口３４、長さ５ｍｍの円筒形状を有する。分析標準物質１からの検出ガスは、第１の開口３３を通して第２の収容部３２に導入される。分析試料２は、例えば直径４ｍｍの円盤形に切り出されており、導入される検出ガスと接触する位置に例えば第１の開口３３上に、この第１の開口３３を全体的に覆い、開口端から少し延出する位置に載置される。
【００２４】
このような試料容器を用いると、標準物質１から熱抽出された検出ガスが第１の開口３３上に載置された分析試料２の表面に接触しながら、第２の開口を抜けて試料容器から出る。このとき、標準物質１から熱抽出された検出ガスが必ず試料２と接触するため、試料内に例えば銅、白金等の触媒活性を有する充填剤が含まれていると、分析試料のみならず標準物質にも白金の触媒作用が働き、分析試料と標準物質のピークが変化する。標準物質は、あらかじめ所定量収容され、ピークの位置及び強度が既知であるので、分析結果が、このような充填剤の影響を受けているかどうかを容易に検知できる。
【００２５】
また、何らかの不具合で、イオン化質量分析が正常に行われないと、標準物質のピークにも異常が出るため、分析結果に問題があることがすぐに検知できる。
【００２６】
この試料容器を用いたイオン化質量分析は、試料容器内に標準物質を予め収容しておくことにより、検査時には、分析試料を第１の開口上に載せるだけで、すぐにイオン化質量分析に供することができるので、面倒な操作もなく簡便である。
【００２７】
図４に、被検出物質となる臭素系難燃剤の一例として、下記式（１）で表されるデカブロモジフェニルエーテル（ＤｅｃａＢＤＥ）の質量分析データを表すグラフを示す。
【化１】
2008164383.tif 000003
【００２８】
図示するように、ＤＢＤＥが含まれていると、質量数９６６ｍ／ｚ付近にピークが見られる。
【００２９】
図５に、ＤＢＤＥの検出に好適な分析標準物質の一例として、下記式（２）で表されるテトラブロモビスフェノールＡ（ＴＢＢＰＡ）の質量分析データを表すグラフ図を示す。
【化２】
2008164383.tif 000004
【００３０】
このテトラブロモビスフェノールＡは、ＤＢＤＥと構造が類似しており、ＤＢＤＥと同様に触媒活性を有する物質の作用を受けやすく、かつＤＢＤＥのピークとは異なる質量数５４４ないし５５１ｍ／ｚにピークがみられるため、両方のピークが干渉しにくく、判別しやすい。
【００３１】
図６に、図３の試料容器に標準物質としてＴＢＢＰＡを１μg収容し、ＤＢＤＥを含有する試料１．５mgを入れて、図１に示すイオン付着質量分析装置に適用し、試料容器を３００℃に加熱して、検出ガスを熱抽出した場合の質量分析データを表すグラフを示す。
【００３２】
図示するように、５５０ｍ／ｚ付近と、９６６ｍ／ｚ付近にピークが現れるので、試料がＤＢＤＥを含有していること、装置が問題無く稼働していること、及び分析試料内に、ＤＢＤＥ検出に際して、大きな影響を及ぼす充填物質が無いことが確認できた。
【００３３】
また、ＴＢＢＰＡの定量分析を実施した結果，添加量相当の検出量が確認できた。
【００３４】
もし、この５５０ｍ／ｚ付近のＴＢＢＰＡのピークが例えば所定の強度よりも減少するなどの異常が見られた場合には、質量分析装置に何らかの問題があるか、または分析試料内に、ＤＢＤＥ検出に際して、大きな影響を及ぼす充填物質が含まれていることが予測できる。
【００３５】
図７に、分析標準物質の他の一例として、下記式（３）で表されるビス（ペンタブロモフェニル）エタンの質量分析データを表すグラフ図を示す。
【化３】
2008164383.tif 000005
【００３６】
このビス（ペンタブロモフェニル）エタンは、ＤＢＤＥと構造が類似しており、ＤＢＤＥと同様に触媒活性を有する物質の作用を受けやすく、かつＤＢＤＥのピークとは異なる質量数９５１ないし９５８ｍ／ｚにピークが現れる。
【００３７】
図８に、本発明に用いられる試料容器の他の一例を示す。
【００３８】
図示するように、この試料容器２０は、第１の開口３３上に、この第１の開口３３を覆うように複数の開孔３５を有する通気板５が設けられ、分析試料２は、この通気板５を介して第１の開孔３３上に載置されていること以外は、図３と同様の構成を有する。
【００３９】
この試料容器２０では、標準物質１から熱抽出された検出ガスが通気板５の複数の開孔３５を通り抜けて、通気板５上に載置された分析試料２の表面に接触しながら、第２の開口を抜けて試料容器２０から出る。このとき、標準物質１から熱抽出された検出ガスが必ず分析試料２と接触する。このような通気板５を用いると、分析試料２を複数の開孔３５の上に載置すれば、標準物質１からの検出ガスと接触させることができる。分析試料２が第１の開口３３よりも小さくても、分析試料２が複数に分かれていても標準物質１からの検出ガスとの接触が可能となる。
【００４０】
図９には、本発明に使用される試料容器のさらに他の一例を示す。
【００４１】
図示するように、この試料容器３０は、第２の収容部３２が円筒形状ではなく、第２の開口の開口端から第１の開口端にかけて、すり鉢状に傾斜した側壁を有すること以外は、図３と同様の構成を有する。
【００４２】
この試料容器３０の第２の収容部３２に分析試料２を入れると、傾斜した側壁によって分析試料２が第１の開口３３上に容易に移動するため、第２の収容部３２が円筒形状である図３の試料容器１０よりも、分析試料２を簡単に第１の開口３３上に載置できる。
【００４３】
このように、本発明では、イオン付着質量分析装置の試料容器の下部に小さい収容部を設けて分析標準物質を入れ、小さい収容部の上に分析試料を置き、分析標準物質からの検出ガスを十分に分析試料に接触させてから質量分析に供することにより、樹脂部品中に含まれる臭素系難燃剤を簡便な方法で、迅速に、より正確に検出することができる。
【図面の簡単な説明】
【００４４】
【図１】図1は、本発明に係るイオン付着質量分析装置の構成を表す概略図
【図２】図１のダイレクトプローブを拡大した図
【図３】本発明に用いられる試料容器の一例を表す概略図
【図４】非検出物質となる臭素系難燃剤の一例の質量分析データを表すグラフ図
【図５】分析標準物質の一例の質量分析データを表すグラフ図
【図６】臭素系難燃剤と分析標準物質を用いた質量分析データの一例を表すグラフ図
【図７】分析標準物質の他の一例の質量分析データを表すグラフ図
【図８】本発明に用いられる試料容器の他の一例を表す概略図
【図９】本発明に用いられる試料容器のさらに他の一例を表す概略図
【符号の説明】
【００４５】
１…分析標準物質、２…分析試料、５…通気板、６…側壁、１０，２０，３０…、１１…イオン化室、１２…差動排気室、１３…質量分析室、１４…ダイレクトプローブ、１５…赤外ランプ、１６…金属イオン放出体、１７…加熱用フィラメント、１８…第１の仕切り板、１９，２３…開孔、２１…真空ポンプ、２２…第２の仕切り板、２４…集束レンズ、３１…第１の収容部、３２…第２の収容部、３３…第１の開口、３４…第２の開口、３５…電子倍増管、４０…イオン付着質量分析装置、４１…Ｑポール型質量分析器
【図１】
2008164383.tif 000006
【図２】
2008164383.tif 000007
【図３】
2008164383.tif 000008
【図４】
2008164383.tif 000009
【図５】
2008164383.tif 000010
【図６】
2008164383.tif 000011
【図７】
2008164383.tif 000012
【図８】
2008164383.tif 000013
【図９】
2008164383.tif 000014